【手続補正書】
【提出日】平成16年6月24日(2004.6.24)
【手続補正１】
【補正対象書類名】特許請求の範囲
【補正対象項目名】全文
【補正方法】変更
【補正の内容】
【特許請求の範囲】
【請求項１】
基地局であるＢＳに関する物理的な無線環境をモデル化して無線通信を向上する方法であって、
地理データベースから前記ＢＳの位置データを取得するステップ、
前記ＢＳの該位置に対応する無線環境データを含む物理属性データベースを確立するステップ、および、
前記位置データに関連付けられた前記物理属性データベースから、ＢＳ無線環境データを取得するステップを含み、
前記ＢＳ無線環境データは、前記無線通信の動作パラメータを認知的に制御するために使用されることを特徴とする方法。
【請求項２】
位置データを取得する前記ステップは、前記ＢＳの物理的な位置に関連するデータを取得することを含むことを特徴とする請求項１に記載の方法。
【請求項３】
位置データを取得する前記ステップはさらに、丘、山、水域、樹木、建造物と橋の少なくとも１つを含む人工物、および前記位置データに関連付けられた大気属性の少なくとも１つを含む土地情報に関連するデータを取得することを含むことを特徴とする請求項２に記載の方法。
【請求項４】
物理属性データベースを確立する前記ステップは、多重経路特性をモデル化するステップをさらに含むことを特徴とする請求項１に記載の方法。
【請求項５】
多重経路特性をモデル化する前記ステップは、遅延スプレッドエネルギ、重要経路の数、数または範囲で表される該経路の位置、前記重要経路のエネルギ、大規模なフェージングまたはシャドーイング損失、およびドップラーシフトをモデル化することを含むことを特徴とする請求項４に記載の方法。
【請求項６】
ユーザ機器であるＵＥに関する物理的な無線環境をモデル化して無線通信を向上する方法であって、
地理データベースから前記ＵＥの位置データを取得するステップ、
前記ＵＥの該位置に対応する無線環境データを含む物理属性データベースを確立するステップ、および、
前記位置データに関連付けられた前記物理属性データベースから、ＵＥ無線環境データを取得するステップを含み、
前記ＵＥ無線環境データは、前記無線通信の動作パラメータを認知的に制御するために使用されることを特徴とする方法。
【請求項７】
位置データを取得する前記ステップは、前記ＵＥの物理的な位置に関連するデータを取得することを含むことを特徴とする請求項６に記載の方法。
【請求項８】
位置データを取得する前記ステップはさらに、丘、山、水域、樹木、建造物と橋の少なくとも１つを含む人工物、および前記位置データに関連付けられた大気属性の少なくとも１つを含む土地情報に関連するデータを取得することを含むことを特徴とする請求項７に記載の方法。
【請求項９】
物理属性データベースを確立する前記ステップは、多重経路特性をモデル化するステップをさらに含むことを特徴とする請求項６に記載の方法。
【請求項１０】
多重経路特性をモデル化する前記ステップは、遅延スプレッドエネルギ、重要経路の数、数または範囲で表される該経路の位置、前記重要経路のエネルギ、大規模なフェージングまたはシャドーイング損失、およびドップラーシフトをモデル化することを含むことを特徴とする請求項９に記載の方法。
【請求項１１】
基地局であるＢＳとユーザ機器であるＵＥの間の無線経路の物理環境をモデル化して無線通信を向上する方法であって、
前記ＢＳが、前記無線経路を組み込む領域に関連する地理データベースから位置データを取得するステップ、
前記位置データに対応する無線環境データを含む物理属性データベースを確立するステップ、および、
前記ＢＳが、前記領域に関連付けられた前記物理属性データベースから、無線環境データを取得するステップを含み、
前記無線環境データは、前記無線通信の動作パラメータを認知的に制御するために使用されることを特徴とする方法。
【請求項１２】
位置データを取得する前記ステップは、前記領域の物理的な位置に関連するデータを取得することを含むことを特徴とする請求項１１に記載の方法。
【請求項１３】
位置データを取得する前記ステップはさらに、丘、山、水域、樹木、建造物と橋の少なくとも１つを含む人工物、および前記領域の大気属性の少なくとも１つを含む土地の構成に関連するデータを取得することを含むことを特徴とする請求項１２に記載の方法。
【請求項１４】
前記領域に関連付けられた無線関連属性を取得するステップをさらに含むことを特徴とする請求項１１に記載の方法。
【請求項１５】
無線関連属性を取得する前記ステップは、多重経路特性をモデル化するステップを含むことを特徴とする請求項１４に記載の方法。
【請求項１６】
多重経路特性をモデル化する前記ステップは、遅延スプレッドエネルギ、重要経路の数、数または範囲で表される該経路の位置、前記重要経路のエネルギ、大規模なフェージングまたはシャドーイング損失、およびドップラーシフトをモデル化することを含むことを特徴とする請求項１５に記載の方法。
【請求項１７】
基地局に関する物理的な無線環境をモデル化して無線通信を向上する方法であって、
地理データベースからユーザ機器であるＵＥの位置データを取得するステップ、および、
前記地理データベースからの前記位置データに基づき、前記ＵＥに関連付けられたモビリティ情報を取得するステップを含み、
前記モビリティ情報は、前記無線通信の動作パラメータを認知的に制御するために使用されることを特徴とする方法。
【請求項１８】
モビリティ情報を取得する前記ステップは、経緯度と、速度と、ＵＥが通り得る信号機、他の交通標識および道路標識などの道路トポロジと、交通量とを取得することを含むことを特徴とする請求項１７に記載の方法。
【請求項１９】
位置データを取得する前記ステップは、前記ＵＥの物理的な位置に関連する物理属性データを取得するステップを含むことを特徴とする請求項１７に記載の方法。
【請求項２０】
前記物理属性データを取得する前記ステップはさらに、丘、山、水域、樹木、建造物と橋の少なくとも１つを含む人工物、および前記ＵＥに関連付けられた大気属性の少なくとも１つを含む土地の構成に関連するデータを取得することを含むことを特徴とする請求項１９に記載の方法。
【請求項２１】
前記物理属性データを取得する前記ステップは前記位置データに関連付けられた無線関連属性を取得することを含み、遅延スプレッドエネルギ、重要経路の数、数または範囲で表される該経路の位置、前記重要経路のエネルギ、大規模なフェージングまたはシャドーイング損失、およびドップラーシフトの少なくとも１つを含む多重経路特性をモデル化することを含むことを特徴とする請求項１９に記載の方法。
【請求項２２】
ユーザ機器であるＵＥに関する物理的な無線環境をモデル化して無線通信を向上する方法であって、
地理データベースからユーザ機器であるＵＥの位置データを取得するステップ、および、
前記地理データベースからの位置データに基づき、前記ＵＥに関連付けられたモビリティ情報を取得するステップを含み、
前記モビリティ情報は、前記無線通信の動作パラメータを認知的に制御するために使用されることを特徴とする方法。
【請求項２３】
位置データを取得する前記ステップは前記位置データに関連付けられた無線関連属性を取得することを含み、遅延スプレッドエネルギ、重要経路の数、数または範囲で表される該経路の位置、前記重要経路のエネルギ、大規模なフェージングまたはシャドーイング損失、およびドップラーシフトの少なくとも１つを含む多重経路特性をモデル化することを含むことを特徴とする請求項２２に記載の方法。
【請求項２４】
基地局におけるアプリケーションコンテキストをモデル化して無線通信を向上する方法であって、
現在使用中のアプリケーションを調査するステップ、および、
該現在の使用に基づいてアプリケーションコンテキストをモデル化するステップを含み、
前記アプリケーションコンテキストは、前記無線通信の動作パラメータを認知的に制御するために使用されることを特徴とする方法。
【請求項２５】
アプリケーションコンテキストをモデル化する前記ステップは、現在のデータレートおよびサービス品質（ＱｏＳ）要件をモデル化することを含むことを特徴とする請求項２４に記載の方法。
【請求項２６】
アプリケーションコンテキストをモデル化する前記ステップはさらに、推定される未来のデータレート、および推定されるサービス品質（ＱｏＳ）要件を提供することを含むことを特徴とする請求項２５に記載の方法。
【請求項２７】
アプリケーションコンテキストをモデル化する前記ステップは、現在使用中の前記アプリケーションの処理のサポートをモデル化するステップを含むことを特徴とする請求項２４に記載の方法。
【請求項２８】
前記調査するステップは、前記現在のアプリケーションが音声通信、ウェブのブラウズ、ｅメール、ＦＴＰ、ＳＭＳ、ＭＭＳ、画像伝送およびメッセージ通信の１つであるか判定することを含むことを特徴とする請求項２４に記載の方法。
【請求項２９】
前記アプリケーションコンテキストは、前記現在のアプリケーションが音声通信であるとき、発話特性および現在使用中の音声圧縮アルゴリズムに基づいて、生成されるデータの量をモデル化することを含むことを特徴とする請求項２８に記載の方法。
【請求項３０】
前記現在のアプリケーションのサポートをモデル化する前記ステップは、前記現在のアプリケーションをサポートするための符号化および処理を提供することを含むことを特徴とする請求項２７に記載の方法。
【請求項３１】
検出されたアプリケーションに応答して、通信パラメータを選択するステップをさらに含むことを特徴とする請求項２４に記載の方法。
【請求項３２】
複数のユーザ機器であるＵＥと１つの基地局であるＢＳとを備える無線ネットワークであって、
前記ＵＥはそれぞれ、それぞれの各ＵＥ付近の無線環境をモデル化し、ＵＥ無線環境データを生成する無線環境モデラと、前記無線環境データを前記ＢＳに伝送する伝送装置とを備え、
前記ＢＳは、各ＢＳ付近の無線環境をモデル化し、ＢＳ無線環境データを生成するモデラと、ローカルに前記ＵＥから取得した前記無線環境データに基づいて、動作パラメータを調整し、または選択する認知コントローラとを備える
ことを特徴とするネットワーク。
【請求項３３】
パラメータを選択することは、伝送されたパワー、符号化方法、データレート、ＡＲＱパラメータ、ビーム形状を含む輻射パターン、呼承認ポリシー、輻輳制御ポリシー、およびキュー作成ポリシーの１つまたは複数を選択／調整することを含むことを特徴とする請求項３２に記載のネットワーク。
【請求項３４】
各ＵＥは、前記ＢＳによる使用のために、モビリティ属性をモデル化するモビリティモデラを有することを特徴とする請求項３２に記載のネットワーク。
【請求項３５】
各モビリティモデラは、道路または街路のトポロジ、速度、および交通量の少なくとも１つをモデル化することを特徴とする請求項３４に記載のネットワーク。
【請求項３６】
各ＵＥはさらに、前記ＢＳによる使用のために、コンテキストをモデル化するコンテキストモデラを備えることを特徴とする請求項３２に記載のネットワーク。
【請求項３７】
前記ＢＳは、前記ＢＳによる使用のために、モビリティ属性をモデル化するモビリティモデラを有することを特徴とする請求項３２に記載のネットワーク。
【請求項３８】
前記ＢＳはさらに、前記ＢＳによる使用のために、コンテキストをモデル化するコンテキストモデラを備えることを特徴とする請求項３２に記載のネットワーク。
【請求項３９】
各ＵＥは、関連付けられたＵＥによってモデル化されたデータの少なくとも１つを送信する手段を備えることを特徴とする請求項３７に記載のネットワーク。
【請求項４０】
前記ＢＳは、モデル化されたデータを前記ＵＥから受信する手段を備えることを特徴とする請求項３９に記載のネットワーク。
【請求項４１】
前記ＢＳは、ローカルなＢＳモデラおよびＵＥモデラからのモデル化されたデータを解析する手段と、前記解析する手段に応答して前記ＵＥの少なくとも１つに調整／選択データを送信する手段とを備えることを特徴とする請求項３２に記載のネットワーク。
【請求項４２】
前記ＢＳは、ローカルなＢＳモデラおよびＵＥモデラからのモデル化されたデータを解析する手段と、前記解析する手段に応答して伝送パラメータを調整する手段とを備えることを特徴とする請求項３２に記載のネットワーク。
【請求項４３】
少なくとも１つのユーザ機器であるＵＥとの無線通信のために、ネットワークによって使用される装置であって、
前記ネットワークと前記少なくとも１つのＵＥの間に位置する、物理特性に関するデータを提供する物理モデラと、
前記ＵＥのモビリティ情報を生成するモビリティモデラと、
物理的な無線環境を介して前記少なくとも１つのＵＥに情報を伝送するのに利用される技術を、前記物理モデラによって提供されるデータおよび前記モビリティ情報に従って選択かつ／または調整する手段と
を備えることを特徴とする装置。
【請求項４４】
前記モビリティモデラは、前記少なくとも１つのＵＥに伝送される情報を調整するために、ＵＥの位置、速度、道路トポロジ、および交通量を考慮することを特徴とする請求項４３に記載の装置。
【請求項４５】
前記少なくとも１つのＵＥのアプリケーション環境をモデル化するアプリケーション／ユーザコンテキストモデラと、
未来の瞬間におけるアプリケーション環境を予測して前記ＵＥに伝送される情報を調整する手段と
をさらに備えることを特徴とする請求項４３に記載の装置。
【請求項４６】
１つの基地局であるＢＳと少なくとも１つのユーザ機器であるＵＥとを有する無線通信ネットワークであって、
前記ＢＳは、前記ＢＳと前記少なくとも１つのＵＥの間に位置する、物理特性に従って通信を制御する物理モデラを有し、
前記ＵＥのモビリティ情報を生成するモビリティモデラと、
遭遇した前記物理特性および前記モビリティ情報に従って調整された情報を前記少なくとも１つのＵＥに伝送する伝送装置と
を備えることを特徴とするネットワーク。
【請求項４７】
前記モビリティモデラは、前記少なくとも１つのＵＥに伝送される情報を調整するために、ＵＥの位置、速度、道路トポロジ、および交通量を考慮することを特徴とする請求項４６に記載のネットワーク。
【請求項４８】
前記少なくとも１つのユーザ機器の前記アプリケーション環境をモデル化するアプリケーション／ユーザコンテキストモデラと、
未来の瞬間におけるアプリケーション環境を予測して前記ＵＥに伝送される情報を調整する手段と
をさらに備えることを特徴とする請求項４５に記載のネットワーク。